(57)【要約】【課題】スマートホームの分野に属するエアコン起動方法及びエアコン起動装置を提供する。【解決手段】本開示のエアコン起動方法は、ウェアラブル装置におけるセンサによって収集されるセンサパラメータを取得し、センサパラメータに基づいて生理的なパラメータを決定し、生理的なパラメータに基づいてウェアラブル装置に対応するユーザの睡眠状態における変化を決定し、睡眠状態における変化が既定の条件と一致するか否かを検出し、睡眠状態における変化が既定の条件と一致する時、エアコンを暖房として起動する。睡眠状態における変化が既定の条件と一致するならば、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。【選択図】図２
2017517708.tif 000002
【特許請求の範囲】
【請求項１】
ウェアラブル装置におけるセンサによって収集されるセンサパラメータを取得するステップと、
前記センサパラメータに基づいて人体の生理的なパラメータを決定するステップと、
前記生理的なパラメータに基づいて前記ウェアラブル装置に対応するユーザの睡眠状態における変化を決定するステップと、
前記睡眠状態における変化が既定の条件と一致するか否かを検出するステップと、
前記睡眠状態における変化が前記既定の条件と一致する時、エアコンを暖房として起動するステップと、
を含むエアコン起動方法。
【請求項２】
前記生理的なパラメータは、心拍数パラメータ、体温パラメータ及び体動パラメータの少なくとも一つであり、
前記センサパラメータに基づいて前記生理的なパラメータを決定するステップは、
前記ウェアラブル装置における赤外線センサ又は圧電センサによって収集されるパラメータに基づいて前記心拍数パラメータを決定するステップと、
前記ウェアラブル装置における温度センサによって収集されるパラメータに基づいて前記体温パラメータを決定するステップと、
前記ウェアラブル装置における体動センサによって収集されるパラメータに基づいて前記体動パラメータを決定するステップと、
を含む請求項１に記載のエアコン起動方法。
【請求項３】
前記睡眠状態は、少なくとも深い睡眠状態及び浅い睡眠状態を含み、前記既定の条件は、前記深い睡眠状態から前記浅い睡眠状態への移行を含む請求項１に記載のエアコン起動方法。
【請求項４】
暖房として前記エアコンを起動するステップの前に、前記ユーザが前記浅い睡眠状態である間の既定の時限ｔ１を決定するステップを含み、
暖房として前記エアコンを起動するステップは、
前記睡眠状態における前記変化がｔ１≦ｔ２という前記既定の条件に一致することが検出されるとすぐに暖房として前記エアコンを起動するステップと、
前記睡眠状態における前記変化がｔ１＞ｔ２という前記既定の条件に一致することが検出されてから時間（ｔ１−ｔ２）の経過後に暖房として前記エアコンを起動するステップと、
を含み、
ｔ２は、室温が前記エアコンによって既定の温度まで暖められる間の既定の時限を意味する請求項３に記載のエアコン起動方法。
【請求項５】
前記ユーザが前記浅い睡眠状態である間の既定の時限ｔ１を決定するステップは、
前記ユーザが前記浅い睡眠状態である間の毎回の時限を含む履歴睡眠状態情報を取得するステップと、
前記ユーザが前記浅い睡眠状態である間の毎回の時限の平均値をｔ１として決定するステップと、
を含む請求項４に記載のエアコン起動方法。
【請求項６】
暖房として前記エアコンを起動するステップの前に、
前記睡眠状態における前記変化が前記既定の条件に一致することが検出される検出時点が、既定の時間内か否かを決定するステップと、
前記検出時点が前記既定の時間内である時に暖房として前記エアコンを起動するステップと、
を含む請求項１に記載のエアコン起動方法。
【請求項７】
ウェアラブル装置におけるセンサによって収集されるセンサパラメータを取得するように構成されるセンサパラメータ取得モジュールと、
前記センサパラメータに基づいて人体の生理的なパラメータを決定するように構成される生理的なパラメータ決定モジュールと、
前記生理的なパラメータに基づいて前記ウェアラブル装置に対応するユーザの睡眠状態における変化を決定するように構成される状態変化決定モジュールと、
前記睡眠状態における前記変化が既定の条件と一致するか否かを検出するように構成される検出モジュールと、
前記睡眠状態における前記変化が前記既定の条件と一致する時、エアコンを暖房として起動するように構成される制御モジュールと、
を含むエアコン起動装置。
【請求項８】
前記生理的なパラメータは、心拍数パラメータ、体温パラメータ及び体動パラメータの少なくとも一つであり、
前記生理的なパラメータ決定モジュールは、
前記ウェアラブル装置における赤外線センサ又は圧電センサによって収集されるパラメータに基づいて前記心拍数パラメータを決定するように構成される第１決定サブモジュールと、
前記ウェアラブル装置における温度センサによって収集されるパラメータに基づいて前記体温パラメータを決定するように構成される第２決定サブモジュールと、
前記ウェアラブル装置における体動センサによって収集されるパラメータに基づいて前記体動パラメータを決定するように構成される第３決定サブモジュールと、
を含む請求項７に記載のエアコン起動装置。
【請求項９】
前記睡眠状態は、少なくとも深い睡眠状態及び浅い睡眠状態を含み、前記既定の条件は、前記深い睡眠状態から前記浅い睡眠状態への移行を含む請求項７に記載のエアコン起動装置。
【請求項１０】
更に、前記制御モジュールによって前記エアコンが暖房として起動される前に、前記ユーザが前記浅い睡眠状態である間の既定の時限ｔ１を決定するように構成される時限決定モジュールを含み、
前記時限決定モジュールは、
前記睡眠状態における前記変化がｔ１≦ｔ２という前記既定の条件に一致することが検出されるとすぐに暖房として前記エアコンを起動するように構成される第１制御サブモジュールと、
前記睡眠状態における前記変化がｔ１＞ｔ２という前記既定の条件に一致することが検出されてから時間（ｔ１−ｔ２）の経過後に暖房として前記エアコンを起動するように構成される第２制御サブモジュールと、
を含み、
ｔ２は、室温が前記エアコンによって既定の温度まで暖められる間の既定の時限を意味する請求項９に記載のエアコン起動装置。
【請求項１１】
前記時限決定モジュールは、
前記ユーザが前記浅い睡眠状態である間の毎回の時限を含む履歴睡眠状態情報を取得するように構成される状態情報取得サブモジュールと、
前記ユーザが前記浅い睡眠状態である間の毎回の時限の平均値をｔ１として決定するように構成される時限決定サブモジュールと、
を含む請求項１０に記載のエアコン起動装置。
【請求項１２】
暖房として前記エアコンを起動するステップの前に、前記睡眠状態における前記変化が前記既定の条件に一致することが検出される検出時点が、既定の時間内か否かを決定するように構成される決定モジュール、
を更に含み、
前記制御モジュールは、前記検出時点が前記既定の時間内である時に暖房として前記エアコンを起動するように構成される請求項７に記載のエアコン起動装置。
【請求項１３】
プロセッサと、
前記プロセッサによって実行される命令を記憶するメモリと、
を備え、
前記プロセッサは、
ウェアラブル装置におけるセンサによって収集されるセンサパラメータを取得し、
前記センサパラメータに基づいて生理的なパラメータを決定し、
前記生理的なパラメータに基づいて前記ウェアラブル装置に対応するユーザの睡眠状態における変化を決定し、
前記睡眠状態における変化が既定の条件と一致するか否かを検出し、
前記睡眠状態における変化が前記既定の条件と一致する時、エアコンを暖房として起動する
ように構成されるエアコン起動装置。
【発明の詳細な説明】
【技術分野】
【０００１】
［関連出願への相互参照］
本出願は、２０１５年５月１１日に出願された出願番号２０１５１０２３６２７９．８の中国特許出願に基づき優先権を主張し、この中国特許出願の全ての内容を援用する。
【０００２】
本発明は、概してスマートホームの分野に関し、特に、エアコンを起動する方法及びエアコンを起動する装置に関する。
【背景技術】
【０００３】
人々の生活水準の段階的な改善とともに、エアコンは日常生活に必須の家電製品となり、人々の生活の質を大いに改善した。
【０００４】
消費電力が大きいため、家の中に暖房器具が備えられていない場合には秋と冬の間ユーザがエアコンを通常夜停止し、起床する前に暖房として起動する。ユーザが目覚める前に室温を適切な温度まで暖めることを可能にするために、いくつかのエアコンはタイミング切替機能があり、エアコンが起動される特定の時点をユーザが設定する。例えば、ユーザが７時に起床したいならば、エアコンは６時４０分に暖房として起動されるように設定されるであろう。
【先行技術文献】
【特許文献】
【０００５】
【特許文献１】特開２０１４−１０９４２０号公報
【発明の概要】
【発明が解決しようとする課題】
【０００６】
本開示は、複数の実施形態においてエアコンを起動する方法を提供する。
【課題を解決するための手段】
【０００７】
実施形態の第１の観点において、ウェアラブル装置におけるセンサによって収集されるセンサパラメータを取得するステップと、前記センサパラメータに基づいて人体の生理的なパラメータを決定するステップと、前記生理的なパラメータに基づいて前記ウェアラブル装置に対応するユーザの睡眠状態における変化を決定するステップと、前記睡眠状態における変化が既定の条件と一致するか否かを検出するステップと、前記睡眠状態における変化が前記既定の条件と一致する時、エアコンを暖房として起動するステップと、を含むエアコン起動方法が提供される。
【０００８】
或いは、前記生理的なパラメータは、心拍数パラメータ、体温パラメータ及び体動パラメータの少なくとも一つであり、前記センサパラメータに基づいて前記生理的なパラメータを決定するステップは、前記ウェアラブル装置における赤外線センサ又は圧電センサによって収集されるパラメータに基づいて前記心拍数パラメータを決定するステップと、前記ウェアラブル装置における温度センサによって収集されるパラメータに基づいて前記体温パラメータを決定するステップと、前記ウェアラブル装置における体動センサによって収集されるパラメータに基づいて前記体動パラメータを決定するステップと、を含む。
【０００９】
或いは、前記睡眠状態は、少なくとも深い睡眠状態及び浅い睡眠状態を含み、前記既定の条件は、前記深い睡眠状態から前記浅い睡眠状態への移行を含む。
【００１０】
或いは、暖房として前記エアコンを起動するステップの前に、前記ユーザが前記浅い睡眠状態である間の既定の時限ｔ１を決定するステップを含み、暖房として前記エアコンを起動するステップは、前記睡眠状態における前記変化がｔ１≦ｔ２という前記既定の条件に一致することが検出されるとすぐに暖房として前記エアコンを起動するステップと、前記睡眠状態における前記変化がｔ１＞ｔ２という前記既定の条件に一致することが検出されてから時間（ｔ１−ｔ２）の経過後に暖房として前記エアコンを起動するステップと、を含み、ｔ２は、室温が前記エアコンによって既定の温度まで暖められる間の既定の時限を意味する。
【００１１】
或いは、前記ユーザが前記浅い睡眠状態である間の既定の時限ｔ１を決定するステップは、前記ユーザが前記浅い睡眠状態である間の毎回の時限を含む履歴睡眠状態情報を取得するステップと、前記ユーザが前記浅い睡眠状態である間の毎回の時限の平均値をｔ１として決定するステップと、を含む。
【００１２】
或いは、暖房として前記エアコンを起動するステップの前に、前記睡眠状態における前記変化が前記既定の条件に一致することが検出される検出時点が、既定の時間内か否かを決定するステップと、前記検出時点が前記既定の時間内である時に暖房として前記エアコンを起動するステップと、を含む。
【００１３】
本開示の実施形態の第２の観点においては、ウェアラブル装置におけるセンサによって収集されるセンサパラメータを取得するように構成されるセンサパラメータ取得モジュールと、前記センサパラメータに基づいて人体の生理的なパラメータを決定するように構成される生理的なパラメータ決定モジュールと、前記生理的なパラメータに基づいて前記ウェアラブル装置に対応するユーザの睡眠状態における変化を決定するように構成される状態変化決定モジュールと、前記睡眠状態における前記変化が既定の条件と一致するか否かを検出するように構成される検出モジュールと、前記睡眠状態における前記変化が前記既定の条件と一致する時、エアコンを暖房として起動するように構成される制御モジュールと、を含むエアコン起動装置が提供される。
【００１４】
或いは、前記生理的なパラメータは、心拍数パラメータ、体温パラメータ及び体動パラメータの少なくとも一つであり、前記生理的なパラメータ決定モジュールは、前記ウェアラブル装置における赤外線センサ又は圧電センサによって収集されるパラメータに基づいて前記心拍数パラメータを決定するように構成される第１決定サブモジュールと、前記ウェアラブル装置における温度センサによって収集されるパラメータに基づいて前記体温パラメータを決定するように構成される第２決定サブモジュールと、前記ウェアラブル装置における体動センサによって収集されるパラメータに基づいて前記体動パラメータを決定するように構成される第３決定サブモジュールと、を含む。
【００１５】
或いは、前記睡眠状態は、少なくとも深い睡眠状態及び浅い睡眠状態を含み、前記既定の条件は、前記深い睡眠状態から前記浅い睡眠状態への移行を含む。
【００１６】
或いは、更に、前記制御モジュールによって前記エアコンが暖房として起動される前に、前記ユーザが前記浅い睡眠状態である間の既定の時限ｔ１を決定するように構成される時限決定モジュールを含み、前記時限決定モジュールは、前記睡眠状態における前記変化がｔ１≦ｔ２という前記既定の条件に一致することが検出されるとすぐに暖房として前記エアコンを起動するように構成される第１制御サブモジュールと、前記睡眠状態における前記変化がｔ１＞ｔ２という前記既定の条件に一致することが検出されてから時間（ｔ１−ｔ２）の経過後に暖房として前記エアコンを起動するように構成される第２制御サブモジュールと、を含み、ｔ２は、室温が前記エアコンによって既定の温度まで暖められる間の既定の時限を意味する。
【００１７】
或いは、前記時限決定モジュールは、前記ユーザが前記浅い睡眠状態である間の毎回の時限を含む履歴睡眠状態情報を取得するように構成される状態情報取得サブモジュールと、前記ユーザが前記浅い睡眠状態である間の毎回の時限の平均値をｔ１として決定するように構成される時限決定サブモジュールと、を含む。
【００１８】
或いは、暖房として前記エアコンを起動するステップの前に、前記睡眠状態における前記変化が前記既定の条件に一致することが検出される検出時点が、既定の時間内か否かを決定するように構成される決定モジュール、を更に含み、前記制御モジュールは、前記検出時点が前記既定の時間内である時に暖房として前記エアコンを起動するように構成される。
【００１９】
本開示の実施形態の第３の観点においては、プロセッサと、前記プロセッサによって実行される命令を記憶するメモリと、を備え、前記プロセッサは、ウェアラブル装置におけるセンサによって収集されるセンサパラメータを取得し、前記センサパラメータに基づいて生理的なパラメータを決定し、前記生理的なパラメータに基づいて前記ウェアラブル装置に対応するユーザの睡眠状態における変化を決定し、前記睡眠状態における変化が既定の条件と一致するか否かを検出し、前記睡眠状態における変化が前記既定の条件と一致する時、エアコンを暖房として起動するように構成されるエアコン起動装置が提供される。
【発明の効果】
【００２０】
本開示の実施形態において提供される技術的な解決手段は、次のような有利な効果を奏するであろう。ウェアラブル装置に対応するユーザの睡眠状態における変化は、生理的なパラメータに基づいて決定され、生理的なパラメータは、ウェアラブル装置によって収集されるセンサパラメータに基づいて決定される。睡眠状態における変化が既定の条件に一致する場合、ユーザの目覚めに応じた丁度良い時刻にエアコンが暖房として起動されることで、ユーザが目覚める時に室温が適切な温度まで上昇することが保証される。更に、ユーザが手動でエアコンが起動される時点を設定する必要がないので、ユーザにとって操作が簡便になり、ユーザ体験が改善される。
【００２１】
前述の一般的な説明及び後述する詳細な説明の両方とも典型的かつ説明的なものに過ぎず、本開示を限定するものではないと理解されるべきである。
【図面の簡単な説明】
【００２２】
本開示に取り入れられ、詳細な説明とともに本開示の一部を構成する添付の図面は、本発明に合致する実施形態を例示し、詳細な説明とともに本発明の原理を説明するためのものである。
【００２３】
【図１】本開示のいくつかの例示的な実施形態に係るエアコン起動方法に関する実装環境を示す概略図である。
【図２】本開示の例示的な実施形態に係るエアコン起動方法を示すフローチャートである。
【図３】本開示の他の例示的な実施形態に係るエアコン起動方法を示すフローチャートである。
【図４】本開示の更に他の例示的な実施形態に係るエアコン起動方法を示すフローチャートである。
【図５】本開示の例示的な実施形態に係るエアコン起動装置を示すブロック図である。
【図６】本開示の他の例示的な実施形態に係るエアコン起動装置を示すブロック図である。
【図７】本開示の例示的な実施形態に係るエアコン起動装置を示すブロック図である。
【発明を実施するための形態】
【００２４】
符号は、添付の図面に図示される典型的な実施形態や実施例に対して詳細に付与される。以下の詳細な説明で参照する添付の図面では、特に示さない限り、異なる図面において同じ番号は同じ要素又は類似の要素を意味する。以下の典型的な実施形態の詳細な説明において明らかにされる実装は、本発明の記載と合致する全ての実装を表すものではない。むしろ、それらは、添付の特許請求の範囲において列挙されるように、本発明の記載に関連する観点と一致する装置及び方法の単なる一例に過ぎない。
【００２５】
図１は、本開示のいくつかの例示的な実施形態に係るエアコン起動方法に関する実装環境を示す概略図である。この実装環境は、ウェアラブル装置１１０と、エアコン１２０と、中継装置１３０とを含む。
【００２６】
ウェアラブル装置１１０は、スマートウォッチ、スマートブレスレットのようなウェアラブルスマートデバイスである。ウェアラブル装置は、いくつかのセンサ、例えば、赤外線センサ、圧電センサ、温度センサ、体動センサ等を含む。
【００２７】
中継装置１３０は、スマートデバイス、例えば、スマートフォン、スマートルータ等である。
【００２８】
ウェアラブル装置１１０、エアコン１２０及び中継装置１３０は、有線又は無線のネットワークによって接続されている。短距離無線通信の接続は、ウェアラブル装置１１０とエアコン１２０との間、又はウェアラブル装置１１０とエアコン１２０のリモコンとの間で直接的に確立される。或いは、短距離無線通信の接続は、中継装置１３０を介して、ウェアラブル装置１１０とエアコン１２０との間、又はウェアラブル装置１１０とエアコン１２０のリモコンとの間で間接的に確立される。
【００２９】
図２は、本開示の例示的な実施形態に係るエアコン起動方法を示すフローチャートである。このエアコン起動方法は、図１に示されるウェアラブル装置１１０、エアコン１２０又は中継装置１３０において用いられる。図２に示すように、このエアコン起動方法は、次の複数のステップを含む。
【００３０】
ステップ２０２において、ウェアラブル装置におけるセンサによって収集されるセンサパラメータが取得される。
【００３１】
ステップ２０４において、生理的なパラメータがセンサパラメータに基づいて決定される。
【００３２】
ステップ２０６において、ウェアラブル装置に対応するユーザの睡眠状態における変化が生理的なパラメータに基づいて決定される。
【００３３】
ステップ２０８において、睡眠状態における変化が既定の条件と一致するか否か検出される。
【００３４】
ステップ２１０において、睡眠状態における変化が既定の条件と一致する時、エアコンが暖房として起動される。
【００３５】
或いは、生理的なパラメータは、心拍数パラメータ、体温パラメータ及び体動パラメータの少なくとも一つであり、センサパラメータに基づいて生理的なパラメータを決定するステップは、ウェアラブル装置における赤外線センサ又は圧電センサによって収集されるパラメータに基づいて心拍数パラメータを決定するステップと、ウェアラブル装置における温度センサによって収集されるパラメータに基づいて体温パラメータを決定するステップと、ウェアラブル装置における体動センサによって収集されるパラメータに基づいて体動パラメータを決定するステップと、を含む。
【００３６】
或いは、睡眠状態は、少なくとも深い睡眠状態及び浅い睡眠状態を含み、既定の条件は、深い睡眠状態から浅い睡眠状態への移行を含む。
【００３７】
或いは、暖房としてエアコンを起動するステップの前に、エアコン起動方法は、ユーザが浅い睡眠状態である間の既定の時限ｔ１を決定するステップを含み、暖房としてエアコンを起動するステップは、睡眠状態における変化がｔ１≦ｔ２という既定の条件に一致することが検出されるとすぐに暖房としてエアコンを起動するステップと、睡眠状態における変化がｔ１＞ｔ２という既定の条件に一致することが検出されてから時間（ｔ１−ｔ２）の経過後に暖房としてエアコンを起動するステップと、を含み、ｔ２は、室温がエアコンによって既定の温度まで暖められる間の既定の時限を意味する。
【００３８】
或いは、ユーザが浅い睡眠状態である間の既定の時限ｔ１を決定するステップは、ユーザが浅い睡眠状態である間の毎回の時限を含む履歴睡眠状態情報を取得するステップと、ユーザが浅い睡眠状態である間の毎回の時限の平均値をｔ１として決定するステップと、を含む。
【００３９】
或いは、暖房としてエアコンを起動するステップの前に、エアコン起動方法は、睡眠状態における変化が既定の条件に一致することが検出される検出時点が、既定の時間内か否かを決定するステップと、検出時点が既定の時間内である時に暖房としてエアコンを起動するステップと、を含む。
【００４０】
要約すると、本開示の実施形態において示されるエアコン起動方法は、ウェアラブル装置によって収集されるセンサパラメータに基づいて決定される生理的なパラメータに基づいて、ウェアラブル装置に対応するユーザの睡眠状態における変化を決定する。睡眠状態における変化が既定の条件と一致する場合においては、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。
【００４１】
図３は、本開示の他の例示的な実施形態に係るエアコン起動方法を示すフローチャートである。このエアコン起動方法は、図１に示されるウェアラブル装置１１０、エアコン１２０又は中継装置１３０において用いられる。図３に示すように、このエアコン起動方法は、次の複数のステップを含む。
【００４２】
ステップ３０２において、ウェアラブル装置におけるセンサによって収集されるセンサパラメータが取得される。
【００４３】
ウェアラブル装置は、赤外線センサ、圧電センサ、温度センサ、体動センサ等のような様々な種類のセンサとともに提供されても良い。
【００４４】
或いは、本開示の実施形態においては、心拍数パラメータ、体温パラメータ及び体動パラメータといった生理的なパラメータの少なくとも一つがセンサパラメータに基づいて決定される。様々な生理的なパラメータを決定する方法は、次に示される。
【００４５】
ステップ３０４において、心拍数パラメータは、ウェアラブル装置における赤外線センサ又は圧電センサによって収集されるパラメータに基づいて決定される。
【００４６】
細胞内の血圧は心拍数の乱れで変化し、更にそれが血液の光透過性の変化をもたらす。それゆえ、ウェアラブル装置における赤外線センサは、体の中の血管に赤外発光ダイオードによって生じる赤外線を放射し、血管の血液を透過し、又は血管の血液によって反射される赤外線信号を収集することで、赤外線センサによって収集される赤外線信号に対するプレ増幅、スムージング及び関連する計算の後、体の中のリアルタイムの心拍数が得られる。
【００４７】
または、ウェアラブル装置は、圧電センサとともに提供される時には、圧電センサによって細胞内の血圧の変化も収集し、そのような細胞内の血圧の変化を処理することによって、体の中のリアルタイムの心拍数が得られる。
【００４８】
ステップ３０６において、体温パラメータは、ウェアラブル装置における温度センサによって収集されるパラメータに基づいて決定される。
【００４９】
ウェアラブル装置は、温度センサとともに提供される時には、温度センサによって体のリアルタイムの温度を収集する。
【００５０】
ステップ３０８において、体動パラメータは、ウェアラブル装置における体動センサによって収集されるパラメータに基づいて決定される。
【００５１】
ウェアラブル装置は、体動センサとともに提供される時には、体動センサによって、例えば、寝返りや四肢の動き等の小さな変動を収集する。
【００５２】
ステップ３１０において、ウェアラブル装置に対応するユーザの睡眠状態における変動は、生理的なパラメータに基づいて決定される。
【００５３】
ユーザの睡眠状態は、深い睡眠状態、浅い睡眠状態、起きている状態を含んでも良い。ユーザの睡眠状態がある状態から他の状態に変化される時、生理的なパラメータにおいて、ある変化が存在する。例えば、ユーザが深い睡眠状態から浅い睡眠状態に移行する時、心拍数の増加、体温の上昇、及び体動の増加が検出されるだろう。逆に言えば、ユーザが浅い睡眠状態から深い睡眠状態に移行する時、心拍数の減少、体温の下降、及び体動の減少が検出されるだろう。ユーザの睡眠状態における変化は、これらの生理的なパラメータの変化を分析することによって決定されても良い。生理的なパラメータを分析することによってユーザの睡眠状態を決定する特別なアルゴリズムは、開発者自身によって実際の条件に合わせて設定され、本開示において制限されない。
【００５４】
ステップ３１２において、睡眠状態における変化が既定の条件と一致するか否かが検出される。
【００５５】
或いは、本開示の実施形態では、既定の条件は、ユーザの睡眠状態が深い睡眠状態から浅い睡眠状態に移行されるように設定されても良い。
【００５６】
更に、当業者は、ユーザのサービス条件に一致する既定の条件も設定しても良い。例えば、既定の条件は、ユーザの睡眠状態が浅い睡眠状態から起きている状態に移行されるように設定されても良いが、本開示の実施形態においては制限されない。
【００５７】
ステップ３１４において、ユーザの睡眠状態における変化が既定の条件と一致することが検出される時、エアコンは暖房として起動される。
【００５８】
ユーザの睡眠状態が深い睡眠状態から浅い睡眠状態に移行していると検出される時、ユーザは目覚めようとしていて、起きる準備をしていると決定される。この時、エアコンが暖房として起動されることで、ユーザが起きる時間までに室温が適切な温度まで上昇している。
【００５９】
本開示の実施形態では、前述のステップの全てがウェアラブル装置によって達成されても良い。例えば、ウェアラブル装置がスマートブレスレットの場合、センサパラメータはスマートブレスレットにおけるセンサによって収集され、生理的なパラメータはセンサパラメータに基づいて決定され、生理的なパラメータに基づいてユーザが目覚めようとしていることが決定される時、エアコンが暖房として起動されるための命令がエアコンに送信される。
【００６０】
又は、前述のステップは、エアコン又は中継装置によって達成されても良い。例えば、スマートブレスレットが、センサによって収集されるセンサパラメータをエアコンに送信し、エアコンが、センサパラメータに基づいて生理的なパラメータを決定するとともに、生理的なパラメータに基づいてユーザが目覚めようとしていることを決定する時、暖房として自分自身を起動する。或いは、スマートブレスレットが、センサによって収集されるセンサパラメータをスマートフォン又はルータに送信し、スマートフォン又はルータが、センサパラメータに基づいて生理的なパラメータを決定するとともに、生理的なパラメータに基づいてユーザが目覚めようとしていることを決定する時、暖房としてエアコンを起動するためにエアコンに命令を送信する。
【００６１】
要約すると、本開示の実施形態において示されるエアコン起動方法は、ウェアラブル装置によって収集されるセンサパラメータに基づいて決定される生理的なパラメータに基づいて、ウェアラブル装置に対応するユーザの睡眠状態における変化を決定する。睡眠状態における変化が既定の条件に一致する場合においては、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。
【００６２】
図４は、本開示の更に他の例示的な実施形態に係るエアコン起動方法を示すフローチャートである。このエアコン起動方法は、図１に示されるウェアラブル装置１１０、エアコン１２０又は中継装置１３０において用いられる。図４に示すように、このエアコン起動方法は、次の複数のステップを含む。
【００６３】
ステップ４０２において、ウェアラブル装置におけるセンサによって収集されるセンサパラメータが取得される。
【００６４】
ウェアラブル装置は、赤外線センサ、圧電センサ、温度センサ、体動センサ等のような様々な種類のセンサとともに提供されても良い。
【００６５】
ステップ４０４において、生理的なパラメータが、センサパラメータに基づいて決定される。
【００６６】
或いは、本開示の実施形態では、決定される生理的なパラメータは、心拍数パラメータ、体温パラメータ及び体動パラメータの少なくとも一つを含んでも良い。様々な生理的なパラメータを決定する方法は、図３に示される実施形態におけるステップ３０４〜３０８と同様であるため、ここでは繰り返さない。
【００６７】
ステップ４０６において、ウェアラブル装置に対応するユーザの睡眠状態における変化が生理的なパラメータに基づいて決定される。
【００６８】
ユーザの睡眠状態は、深い睡眠状態、浅い睡眠状態、起きている状態を含んでも良い。ユーザの睡眠状態がある状態から他の状態に変化される時、生理的なパラメータにおいて、ある変化が存在する。例えば、ユーザが深い睡眠状態から浅い睡眠状態に移行する時、心拍数の増加、体温の上昇、及び体動の増加が検出されるだろう。逆に言えば、ユーザが浅い睡眠状態から深い睡眠状態に移行する時、心拍数の減少、体温の下降、及び体動の減少が検出されるだろう。ユーザの睡眠状態における変化は、これらの生理的なパラメータの変化を分析することによって決定されても良い。
【００６９】
ステップ４０８において、睡眠状態における変化が既定の条件と一致するか否かが検出される。そして、ステップ４１０は、睡眠状態における変化が既定の条件と一致する時に実行される。
【００７０】
或いは、本開示の実施形態では、既定の条件は、ユーザの睡眠状態が深い睡眠状態から浅い睡眠状態に移行されるように設定されても良い。
【００７１】
更に、当業者は、ユーザのサービス条件に一致する既定の条件も設定しても良い。例えば、既定の条件は、ユーザの睡眠状態が浅い睡眠状態から起きている状態に移行されるように設定されても良いが、本開示の実施形態においては制限されない。
【００７２】
ステップ４１０において、検出時点が既定の時間内か否かが決定される。そして、ステップ４１２は、検出時点が既定の時間内ならば実行され、そうでなければ終了となる。
【００７３】
検出時点は、睡眠状態における変化が既定の条件に一致することが検出される時点である。
【００７４】
いくつかのケースでは、深い睡眠状態から浅い睡眠状態に移行するユーザの睡眠状態は、必ずしも、ユーザが目覚めて起きようとしていることを意味しない。例えば、ユーザが真夜中に不眠症になっているようなケースでは、エアコンが誤って起動されないように、睡眠状態における変化が既定の条件に一致することが検出される検出時点が既定の時間内であるかどうかを更に決定されても良い。例えば、検出時点が７時〜９時の範囲内かどうかが検出され、検出時点が７時〜９時の範囲内であれば次のステップが実行され、そうでなければ次のステップは不要である。
【００７５】
ステップ４１２において、ユーザが浅い睡眠状態である間の毎回の時限を含む履歴睡眠状態情報が取得される。そして、ユーザが浅い睡眠状態である間の毎回の時限の平均値が、ユーザが浅い睡眠状態である間の既定の時限ｔ１として決定される。
【００７６】
浅い睡眠状態と起きている状態との間の時限はそれぞれのユーザで一致しないので、浅い睡眠状態から起きている状態へ移行する時間がより長いユーザの場合には、前もってエアコンを起動するための電力消費をもたらすかもしれない。暖房効率及び電力消費の抑制を改善するために、ユーザが深い睡眠状態である間、浅い睡眠状態である間及び起きている状態である時間のそれぞれの毎回の時限を含む履歴睡眠状態情報を取得しても良い。そして、ユーザが浅い睡眠状態である間の毎回の時限の平均値をｔ１として決定しても良い。
【００７７】
ユーザによってチェックされるために、又は他のサードパーティのアプリケーションによって読み込まれるために、履歴睡眠状態情報は、ウェアラブル装置や、スマートフォンのような他の装置によって自動的に記録されても良い。
【００７８】
ステップ４１４において、睡眠状態における変化が既定の条件であるｔ１≦ｔ２に一致することが検出されるとすぐに、エアコンは暖房として起動される。ここで、ｔ２は、室温がエアコンによって既定の温度まで暖められる間の既定の時限を意味する。
【００７９】
ユーザが浅い睡眠状態である間の既定の時限が、室温がエアコンによって既定の温度まで暖められる間の既定の時限よりも短い場合、ユーザが起きる時間までに室温が既定の温度まで温められないと考えられるので、エアコンはすぐに暖房として起動される必要がある。室温が既定の温度まで暖められる間の既定の時限は、エアコンの電力、暖房効率、及び現在の室温と既定の温度との温度差に従って計算することによって決定されても良い。
【００８０】
ステップ４１６において、睡眠状態における変化がｔ１＞ｔ２という既定の条件に一致することが検出されてから時間（ｔ１−ｔ２）の経過後に、エアコンが暖房として起動される。
【００８１】
ユーザが浅い睡眠状態である間の既定の時限が、室温がエアコンによって既定の温度まで暖められる間の既定の時限よりも長い場合、ユーザが起きる時間までに室温が既定の温度まで温められることができると考えられるので、エアコンは、すぐにではなく、時間（ｔ１−ｔ２）の経過後に暖房として起動される必要がある。これによって、ユーザの目覚めに応じた丁度良い時刻に室温が適切な温度まで温められることができるので、無駄な電力消費を省くことができる。
【００８２】
本開示の実施形態では、前述のステップの全てがウェアラブル装置によって達成されても良い。例えば、ウェアラブル装置がスマートブレスレットの場合、センサパラメータはスマートブレスレットにおけるセンサによって収集され、生理的なパラメータはセンサパラメータに基づいて決定され、生理的なパラメータに基づいてユーザが目覚めようとしていることが決定される時、エアコンが暖房として起動されるための命令がエアコンに送信される。
【００８３】
又は、前述のステップは、エアコン又は中継装置によって達成されても良い。例えば、スマートブレスレットが、センサによって収集されるセンサパラメータをエアコンに送信し、エアコンが、センサパラメータに基づいて生理的なパラメータを決定するとともに、生理的なパラメータに基づいてユーザが目覚めようとしていることを決定する時、暖房として自分自身を起動する。或いは、スマートブレスレットが、センサによって収集されるセンサパラメータをスマートフォン又はルータに送信し、スマートフォン又はルータが、センサパラメータに基づいて生理的なパラメータを決定するとともに、生理的なパラメータに基づいてユーザが目覚めようとしていることを決定する時、暖房としてエアコンを起動するためにエアコンに命令を送信する。
【００８４】
要約すると、本開示の実施形態において示されるエアコン起動方法は、ウェアラブル装置によって収集されるセンサパラメータに基づいて決定される生理的なパラメータに基づいて、ウェアラブル装置に対応するユーザの睡眠状態における変化を決定する。睡眠状態における変化が既定の条件に一致する場合においては、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。
【００８５】
更に、本開示の実施形態において示されるエアコン起動方法は、エアコンが暖房として起動される前に、ユーザの履歴睡眠状態情報に基づいてユーザが浅い睡眠状態である間の既定の時限を決定し、ユーザが浅い睡眠状態である間の既定の時限と室温がエアコンによって既定の温度まで暖められる間の既定の時限との間の関係に基づいてエアコンを起動する特定の時刻を決定しても良い。これによって、無駄な電力消費を省くことができる。
【００８６】
更に、本開示の実施形態において示されるエアコン起動方法は、睡眠状態における変化が既定の条件に一致することが検出される検出時点が既定の時間内であれば次のステップを実行する。これによって、エアコンが誤って起動されることを回避することができる。
【００８７】
次の本開示の装置の実施形態は、本開示の方法の実施形態を実行するために用いられても良い。本開示の装置の実施形態において開示されない詳細については、本開示の方法の実施形態が参照される。
【００８８】
図５は、本開示の例示的な実施形態に係るエアコン起動装置を示すブロック図である。このエアコン起動装置は、図２〜図４のいずれか一つに示される方法の全てのステップ又は一部のステップを実行するために、図１に示されるウェアラブル装置１１０、エアコン１２０又は中継装置１３０において用いられる。図５に示すように、このようなエアコン起動装置は、これに限定されるわけではないが、センサパラメータ取得モジュール５０１、生理的なパラメータ決定モジュール５０２、状態変化決定モジュール５０３、検出モジュール５０４及び制御モジュール５０５を含む。
【００８９】
センサパラメータ取得モジュール５０１は、ウェアラブル装置におけるセンサによって収集されるセンサパラメータを取得するように構成される。
【００９０】
生理的なパラメータ決定モジュール５０２は、センサパラメータに基づいて生理的なパラメータを決定するように構成される。
【００９１】
状態変化決定モジュール５０３は、生理的なパラメータに基づいて、ウェアラブル装置に対応するユーザの睡眠状態における変化を決定するように構成される。
【００９２】
検出モジュール５０４は、睡眠状態における変化が既定の条件と一致するか否かを検出するように構成される。
【００９３】
制御モジュール５０５は、検出モジュール５０４が睡眠状態における変化が既定の条件と一致することを検出する時、暖房としてエアコンを起動するように構成される。
【００９４】
要約すると、本開示の実施形態において示されるエアコン起動装置は、ウェアラブル装置によって収集されるセンサパラメータに基づいて決定される生理的なパラメータに基づいて、ウェアラブル装置に対応するユーザの睡眠状態における変化を決定する。睡眠状態における変化が既定の条件と一致する場合においては、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。
【００９５】
図６は、本開示の他の例示的な実施形態に係るエアコン起動装置を示すブロック図である。このエアコン起動装置は、図２〜図４のいずれか一つに示される方法の全てのステップ又は一部のステップを実行するために、図１に示されるウェアラブル装置１１０、エアコン１２０又は中継装置１３０において用いられる。図６に示すように、このようなエアコン起動装置は、これに限定されるわけではないが、センサパラメータ取得モジュール５０１、生理的なパラメータ決定モジュール５０２、状態変化決定モジュール５０３、検出モジュール５０４及び制御モジュール５０５を含む。
【００９６】
センサパラメータ取得モジュール５０１は、ウェアラブル装置におけるセンサによって収集されるセンサパラメータを取得するように構成される。
【００９７】
生理的なパラメータ決定モジュール５０２は、センサパラメータに基づいて生理的なパラメータを決定するように構成される。
【００９８】
状態変化決定モジュール５０３は、生理的なパラメータに基づいて、ウェアラブル装置に対応するユーザの睡眠状態における変化を決定するように構成される。
【００９９】
検出モジュール５０４は、睡眠状態における変化が既定の条件と一致するか否かを検出するように構成される。
【０１００】
制御モジュール５０５は、検出モジュール５０４が睡眠状態における変化が既定の条件と一致することを検出する時、暖房としてエアコンを起動するように構成される。
【０１０１】
或いは、生理的なパラメータは、心拍数パラメータ、体温パラメータ及び体動パラメータの少なくとも一つであり、生理的なパラメータ決定モジュール５０２は、第１決定サブモジュール５０２ａ、第２決定サブモジュール５０２ｂ及び第３決定サブモジュール５０２ｃを含む。
【０１０２】
第１決定サブモジュール５０２ａは、ウェアラブル装置における赤外線センサ又は圧電センサによって収集されるパラメータに基づいて心拍数パラメータを決定するように構成される。
【０１０３】
第２決定サブモジュール５０２ｂは、ウェアラブル装置における温度センサによって収集されるパラメータに基づいて体温パラメータを決定する。
【０１０４】
第３決定サブモジュール５０２ｃは、ウェアラブル装置における体動センサによって収集されるパラメータに基づいて体動パラメータを決定する。
【０１０５】
或いは、睡眠状態は、少なくとも深い睡眠状態及び浅い睡眠状態を含み、既定の条件は、深い睡眠状態から浅い睡眠状態への移行を含む。
【０１０６】
或いは、エアコン起動装置は、更に、制御モジュール５０５によってエアコンが暖房として起動される前に、ユーザが浅い睡眠状態である間の既定の時限ｔ１を決定するように構成される時限決定モジュール５０６を含む。
【０１０７】
制御モジュール５０５は、第１制御サブモジュール５０５ａ及び第２制御モジュール５０５ｂを含む。
【０１０８】
第１制御サブモジュール５０５ａは、睡眠状態における変化が既定の条件であるｔ１≦ｔ２に一致することが検出されるとすぐに、エアコンを暖房として起動するように構成される。
【０１０９】
第２制御モジュール５０５ｂは、睡眠状態における変化がｔ１＞ｔ２という既定の条件に一致することが検出されてから時間（ｔ１−ｔ２）の経過後に、エアコンを暖房として起動する。
【０１１０】
ｔ２は、室温がエアコンによって既定の温度まで暖められる間の既定の時限を意味する。
【０１１１】
或いは、時限決定モジュール５０６は、状態情報取得サブモジュール５０６ａ及び時限決定サブモジュール５０６ｂを含む。
【０１１２】
状態情報取得サブモジュール５０６ａは、ユーザが浅い睡眠状態である間の毎回の時限を含む履歴睡眠状態情報を取得するように構成される。
【０１１３】
時限決定サブモジュール５０６ｂは、ユーザが浅い睡眠状態である間の毎回の時限の平均値をｔ１として決定するように構成される。
【０１１４】
或いは、エアコン起動装置は、更に、制御モジュール５０５がエアコンを暖房として起動する前に、睡眠状態における変化が既定の条件に一致することが検出される検出時点が既定の時間内であるかどうかを決定する決定モジュール５０７を含み、制御モジュール５０５は、検出時点が既定の時間内である時、エアコンを暖房として起動するように構成される。
【０１１５】
要約すると、本開示の実施形態において示されるエアコン起動装置は、ウェアラブル装置によって収集されるセンサパラメータに基づいて決定される生理的なパラメータに基づいて、ウェアラブル装置に対応するユーザの睡眠状態における変化を決定する。睡眠状態における変化が既定の条件に一致する場合においては、ユーザの目覚めに応じた丁度良い時刻にエアコンが暖房として起動されるので、ユーザが目覚める時に室温が適切な温度まで上昇していることが保証される。更に、ユーザが手動でエアコンが起動される時点を設定する必要がないので、ユーザにとって操作が簡便になり、ユーザ体験が改善される。
【０１１６】
更に、本開示の実施形態において示されるエアコン起動装置は、エアコンが暖房として起動される前に、ユーザの履歴睡眠状態情報に基づいてユーザが浅い睡眠状態である間の既定の時限を決定し、ユーザが浅い睡眠状態である間の既定の時限と室温がエアコンによって既定の温度まで暖められる間の既定の時限との間の関係に基づいてエアコンを起動する特定の時刻を決定しても良い。これによって、無駄な電力消費を省くことができる。
【０１１７】
更に、本開示の実施形態において示されるエアコン起動装置は、睡眠状態における変化が既定の条件に一致することが検出される検出時点が既定の時間内であれば次のステップを実行する。これによって、エアコンが誤って起動されることを回避することができる。
【０１１８】
図７は、本開示の例示的な実施形態に係るエアコン起動装置７００を示すブロック図である。例えば、エアコン起動装置７００は、携帯電話、コンピュータ、デジタル放送端末、メッセージ送受信装置、ルータ装置、ゲームコンソール、フラットパネル装置、医療機器、フィットネス装置、携帯情報端末、スマート制御装置、スマート家電装置、スマートウェアラブル装置等である。
【０１１９】
図７を参照すると、エアコン起動装置７００は、以下の１つ又はより多くの構成要素を含んでも良い。それらの構成要素は、処理部７０２、メモリ７０４、電源部７０６、マルチメディア部７０８、オーディオ部７１０、入出力（Ｉ／Ｏ）インタフェース部７１２、センサ部７１４、及び通信部７１６である。
【０１２０】
処理部７０２は、一般的に、表示、電話呼出し、データ通信、カメラ操作及び記録動作と関連する動作のようなエアコン起動装置７００全体の動作を制御する。処理部７０２は、前述した実現方法における全て又は一部のステップを行うための命令を実行するために、１つ又はより多くのプロセッサ７１８を含んでも良い。更に、処理部７０２は、処理部７０２と他の構成要素との間のインタフェースを容易にするための１つ又はより多くのモジュールを含んでも良い。例えば、処理部７０２は、マルチメディア部７０８と処理部７０２との間のインタフェースを容易にするためのマルチメディアモジュールを含んでも良い。
【０１２１】
メモリ７０４は、エアコン起動装置７００の動作を支援するための様々な種類のデータを記憶するように構成される。そのようなデータの例は、エアコン起動装置７００において動作される任意のアプリケーションまたは方法のための命令、連絡先データ、電話帳データ、メッセージ、写真、ビデオ等を含む。メモリ７０４は、スタティックランダムアクセスメモリ（ＳＲＡＭ）、電気的に消去可能なプログラマブル読出専用メモリ（ＥＥＰＲＯＭ）、プログラマブル読出専用メモリ（ＰＲＯＭ）、読出専用メモリ（ＲＯＭ）、磁気メモリ、フラッシュメモリ、磁気又は光学ディスクのように、揮発性記憶装置或いは不揮発性記憶装置、又はそれらの組合せの任意の種類を用いて実装されても良い。
【０１２２】
電源部７０６は、エアコン起動装置７００の様々な構成要素に電力を供給するように構成される。電源部７０６は、電源管理システム、１つ又はより多くの電源、並びにエアコン起動装置７００において電力の生成、制御及び配電と関連する他の構成要素を含んでも良い。
【０１２３】
マルチメディア部７０８は、エアコン起動装置７００とユーザとの間の外部インタフェースを提供するように構成される画面を含む。いくつかの実施形態では、画面は、液晶ディスプレイ（ＬＣＤ）及びタッチパネル（ＴＰ）を含んでも良い。画面がタッチパネルを含む場合、その画面はユーザから入力信号を受信するタッチ画面として実装されても良い。タッチパネルは、タッチパネル上のタッチ、スワイプ及びジェスチャーを検出するための１つ又はより多くのタッチセンサを含む。タッチセンサは、タッチ又はスワイプ操作の境界を検出するだけでなく、タッチ又はスワイプ操作と関連する期間及び圧力も検出する。いくつかの実施形態では、マルチメディア部７０８は、正面のカメラ及び／又は背面のカメラを含む。正面のカメラ及び背面のカメラは、エアコン起動装置７００が写真撮影モード又はビデオモードのような動作モードの時、外部のマルチメディアデータを受信するようにしても良い。正面のカメラ及び背面のカメラのそれぞれが、固定焦点レンズシステムでも良いし、又はフォーカス及び光学ズーム性能を有しても良い。
【０１２４】
オーディオ部７１０は、オーディオ（音声・音響）信号を出力する、及び／又は入力するように構成される。例えば、オーディオ部７１０は、エアコン起動装置７００が電話モード、記録モード及び音声認識モードのような動作モードの時、外部オーディオ信号を受信するように構成されるマイクロフォン（「ＭＩＣ」）を含む。受信されるオーディオ信号は、更にメモリ７０４に記憶されても良いし、又は通信部７１６を介して送信されるようにしても良い。いくつかの実施形態では、オーディオ部７１０は、更にオーディオ信号を出力するためのスピーカを含む。
【０１２５】
Ｉ／Ｏインタフェース部７１２は、キーボード、クリックホイール、ボタン等のような処理部７０２及び周辺装置インタフェースモジュールとの間のインタフェースを提供する。ボタンは、これらに限定されるわけではないが、ホームボタン、ボリュームボタン、スタートボタン及びロックボタンを含んでも良い。
【０１２６】
センサ部７１４は、エアコン起動装置７００の様々な面の状態評価を提供するための１つ又はより多くのセンサを含む。例えば、センサ部７１４は、エアコン起動装置７００のオン／オフ状態、構成要素（例えば、エアコン起動装置７００のディスプレイ画面及びキーパッド）の相対位置を検出しても良い。更に、センサ部７１４は、エアコン起動装置７００又はエアコン起動装置７００の構成要素の位置の変化、エアコン起動装置７００に対するユーザ接触の存在又は不存在、エアコン起動装置７００の方向又は加速／減速、及びエアコン起動装置７００の温度の変化を検出しても良い。センサ部７１４は、物理的な接触なしに近傍の物体の存在を検出するように構成される主要なセンサを含んでも良い。また、センサ部７１４は、画像アプリケーションの用途のために、ＣＭＯＳ又はＣＣＤ画像センサのような光センサを含んでも良い。また、いくつかの実施形態では、センサ部７１４は、加速度センサ、ジャイロセンサ、磁気センサ、圧力センサ、又は温度センサを含んでも良い。
【０１２７】
通信部７１６は、エアコン起動装置７００と他の端末との間の有線又は無線の通信を容易にするように構成される。エアコン起動装置７００は、ＷｉＦｉ、２Ｇ或いは３Ｇ、又はそれらの組合せのような通信規格に基づく無線ネットワークにアクセスすることができる。ある例示的な実施形態では、通信部７１６は、放送チャネルを介する外部放送制御システムからの放送信号又は放送関連情報を受信する。ある例示的な実施形態では、通信部７１６は、更に短距離の通信を容易にするための近距離無線通信（ＮＦＣ）モジュールを含む。例えば、ＮＦＣモジュールは、無線ＩＤ（ＲＦＩＤ）技術、赤外線通信規格（ＩｒＤＡ）技術、超広域無線(ＵＷＢ)技術、Bluetooth(登録商標)（ＢＴ）技術、又はその他の技術に基づいて実装されても良い。
【０１２８】
例示的な実施形態では、エアコン起動装置７００は、前述の実現方法を行うために、特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、又はそのほかの電子部品のような１つ又はより多くの電子的要素によって実装されても良い。
【０１２９】
例示的な実施形態では、前述の方法を行うために、エアコン起動装置７００の中のメモリ７０４に含まれ、プロセッサ７１８によって実行される命令を含む非一時的なコンピュータ読み取り可能な記憶媒体も提供される。例えば、非一時的なコンピュータ読み取り可能な記憶媒体は、ＲＯＭ、ＲＡＭ、ＣＤ−ＲＯＭ、磁気テープ、フロッピー（登録商標）ディスク、光学データ記憶装置等であっても良い。
【０１３０】
上記の実施形態における装置に関しては、個々のモジュールに対する動作の実行のための特定の方法が、本開示の方法の実施形態において詳細に説明されていたので、ここでは詳細な説明を加えない。
【０１３１】
本発明の正確な解釈は、前述の説明及び添付図面の例、並びにその範囲から出発せずになされる様々な修正及び変更に制限されないと解釈して頂ければ幸いである。本発明の範囲は、添付の請求項によってのみ限定されることを意図している。
【符号の説明】
【０１３２】
１１０・・・ウェアラブル装置、ウェアラブルスマートデバイス
１２０・・・エアコン
１３０・・・中継装置、スマートデバイス
７００・・・エアコン起動装置
【図１】
2017517708.tif 000003
【図２】
2017517708.tif 000004
【図３】
2017517708.tif 000005
【図４】
2017517708.tif 000006
【図５】
2017517708.tif 000007
【図６】
2017517708.tif 000008
【図７】
2017517708.tif 000009
【手続補正書】
【提出日】平成28年3月29日(2016.3.29)
【手続補正２】
【補正対象書類名】特許請求の範囲
【補正対象項目名】全文
【補正方法】変更
【補正の内容】
【特許請求の範囲】
【請求項１】
ウェアラブル装置におけるセンサによって収集されるセンサパラメータを取得するステップと、
前記センサパラメータに基づいて人体の生理的なパラメータを決定するステップと、
前記生理的なパラメータに基づいて前記ウェアラブル装置に対応するユーザの睡眠状態における変化を決定するステップと、
前記睡眠状態における変化が既定の条件と一致するか否かを検出するステップと、
前記睡眠状態における変化が前記既定の条件と一致する時、エアコンを暖房として起動するステップと、
を含むエアコン起動方法。
【請求項２】
前記生理的なパラメータは、心拍数パラメータ、体温パラメータ及び体動パラメータの少なくとも一つであり、
前記センサパラメータに基づいて前記生理的なパラメータを決定するステップは、
前記ウェアラブル装置における赤外線センサ又は圧電センサによって収集されるパラメータに基づいて前記心拍数パラメータを決定するステップと、
前記ウェアラブル装置における温度センサによって収集されるパラメータに基づいて前記体温パラメータを決定するステップと、
前記ウェアラブル装置における体動センサによって収集されるパラメータに基づいて前記体動パラメータを決定するステップと、
を含む請求項１に記載のエアコン起動方法。
【請求項３】
前記睡眠状態は、少なくとも深い睡眠状態及び浅い睡眠状態を含み、前記既定の条件は、前記深い睡眠状態から前記浅い睡眠状態への移行を含む請求項１又は請求項２に記載のエアコン起動方法。
【請求項４】
暖房として前記エアコンを起動するステップの前に、前記ユーザが前記浅い睡眠状態である間の既定の時限ｔ１を決定するステップを含み、
暖房として前記エアコンを起動するステップは、
前記睡眠状態における前記変化がｔ１≦ｔ２という前記既定の条件に一致することが検出されるとすぐに暖房として前記エアコンを起動するステップと、
前記睡眠状態における前記変化がｔ１＞ｔ２という前記既定の条件に一致することが検出されてから時間（ｔ１−ｔ２）の経過後に暖房として前記エアコンを起動するステップと、
を含み、
ｔ２は、室温が前記エアコンによって既定の温度まで暖められる間の既定の時限を意味する請求項３に記載のエアコン起動方法。
【請求項５】
前記ユーザが前記浅い睡眠状態である間の既定の時限ｔ１を決定するステップは、
前記ユーザが前記浅い睡眠状態である間の毎回の時限を含む履歴睡眠状態情報を取得するステップと、
前記ユーザが前記浅い睡眠状態である間の毎回の時限の平均値をｔ１として決定するステップと、
を含む請求項４に記載のエアコン起動方法。
【請求項６】
暖房として前記エアコンを起動するステップの前に、
前記睡眠状態における前記変化が前記既定の条件に一致することが検出される検出時点が、既定の時間内か否かを決定するステップと、
前記検出時点が前記既定の時間内である時に暖房として前記エアコンを起動するステップと、
を含む請求項１乃至請求項５のいずれか１項に記載のエアコン起動方法。
【請求項７】
ウェアラブル装置におけるセンサによって収集されるセンサパラメータを取得するように構成されるセンサパラメータ取得モジュールと、
前記センサパラメータに基づいて人体の生理的なパラメータを決定するように構成される生理的なパラメータ決定モジュールと、
前記生理的なパラメータに基づいて前記ウェアラブル装置に対応するユーザの睡眠状態における変化を決定するように構成される状態変化決定モジュールと、
前記睡眠状態における前記変化が既定の条件と一致するか否かを検出するように構成される検出モジュールと、
前記睡眠状態における前記変化が前記既定の条件と一致する時、エアコンを暖房として起動するように構成される制御モジュールと、
を含むエアコン起動装置。
【請求項８】
前記生理的なパラメータは、心拍数パラメータ、体温パラメータ及び体動パラメータの少なくとも一つであり、
前記生理的なパラメータ決定モジュールは、
前記ウェアラブル装置における赤外線センサ又は圧電センサによって収集されるパラメータに基づいて前記心拍数パラメータを決定するように構成される第１決定サブモジュールと、
前記ウェアラブル装置における温度センサによって収集されるパラメータに基づいて前記体温パラメータを決定するように構成される第２決定サブモジュールと、
前記ウェアラブル装置における体動センサによって収集されるパラメータに基づいて前記体動パラメータを決定するように構成される第３決定サブモジュールと、
を含む請求項７に記載のエアコン起動装置。
【請求項９】
前記睡眠状態は、少なくとも深い睡眠状態及び浅い睡眠状態を含み、前記既定の条件は、前記深い睡眠状態から前記浅い睡眠状態への移行を含む請求項７又は請求項８に記載のエアコン起動装置。
【請求項１０】
更に、前記制御モジュールによって前記エアコンが暖房として起動される前に、前記ユーザが前記浅い睡眠状態である間の既定の時限ｔ１を決定するように構成される時限決定モジュールを含み、
前記時限決定モジュールは、
前記睡眠状態における前記変化がｔ１≦ｔ２という前記既定の条件に一致することが検出されるとすぐに暖房として前記エアコンを起動するように構成される第１制御サブモジュールと、
前記睡眠状態における前記変化がｔ１＞ｔ２という前記既定の条件に一致することが検出されてから時間（ｔ１−ｔ２）の経過後に暖房として前記エアコンを起動するように構成される第２制御サブモジュールと、
を含み、
ｔ２は、室温が前記エアコンによって既定の温度まで暖められる間の既定の時限を意味する請求項９に記載のエアコン起動装置。
【請求項１１】
前記時限決定モジュールは、
前記ユーザが前記浅い睡眠状態である間の毎回の時限を含む履歴睡眠状態情報を取得するように構成される状態情報取得サブモジュールと、
前記ユーザが前記浅い睡眠状態である間の毎回の時限の平均値をｔ１として決定するように構成される時限決定サブモジュールと、
を含む請求項１０に記載のエアコン起動装置。
【請求項１２】
暖房として前記エアコンを起動するステップの前に、前記睡眠状態における前記変化が前記既定の条件に一致することが検出される検出時点が、既定の時間内か否かを決定するように構成される決定モジュール、
を更に含み、
前記制御モジュールは、前記検出時点が前記既定の時間内である時に暖房として前記エアコンを起動するように構成される請求項７乃至請求項１１のいずれか１項に記載のエアコン起動装置。
【請求項１３】
コンピュータ上で動作する請求項１乃至請求項６のいずれか１項に記載のエアコン起動方法を前記コンピュータに実行させるためのコンピュータプログラム。
【請求項１４】
請求項１３に記載のコンピュータプログラムが記憶されるように構成されるコンピュータ読み取り可能な記憶媒体。
【手続補正３】
【補正対象書類名】明細書
【補正対象項目名】００１８
【補正方法】変更
【補正の内容】
【００１８】
本開示の実施形態の第３の観点においては、コンピュータ上で動作する前述のエアコン起動方法を前記コンピュータに実行させるためのコンピュータプログラムが提供される。本開示の実施形態の第４の観点においては、前述のコンピュータプログラムが記憶されるように構成されるコンピュータ読み取り可能な記憶媒体が提供される。

【国際調査報告】
2017517708.tif 000010
2017517708.tif 000011
2017517708.tif 000012
2017517708.tif 000013
2017517708.tif 000014
2017517708.tif 000015